(57)【特許請求の範囲】
【請求項１】
電源及び制御負荷に接続される端子を備えた複数の端子ブロックと、周囲の外光を利用して電源に接続される端子と制御負荷に接続される端子との接続の開閉を行う開閉機能ブロックと、端子ブロックと開閉機能ブロックを収容するベース及びカバーと、外光を採り入れる受光カバーを備えた自動点滅器であって、受光カバーを覆って外光を遮蔽するテストカバーをベース及びカバーで構成する器体に保持させ、ベースが前面に開口を有する箱状に形成され、ベースの開口縁に受光カバーが嵌合され、受光カバーにカバーが保持され、受光カバーの端子ブロックの端子ねじに対向する位置にドライバー挿入孔が設けられ、端子ブロックの電線挿入位置に挿入された電線を確認することができる切欠部を端子に設け、切欠部と対向する受光カバーの位置に透明色の確認窓を設けて成ることを特徴とする自動点滅器。
【請求項２】
確認窓以外で端子ブロックに対向する受光カバーの部分にしぼ加工がなされ、確認窓を示す記号、記述が受光カバーになされて成ることを特徴とする請求項１記載の自動点滅器。
【請求項３】
受光カバーの透明色の確認窓がレンズ形状に形成されて成ることを特徴とする請求項１又は２記載の自動点滅器。
【請求項４】
受光カバーに形成したドライバー挿入孔の孔縁に突出部を形成して成ることを特徴とする請求項１記載の自動点滅器。
【請求項５】
受光カバーのドライバー挿入孔の孔縁に形成した突出部に嵌合する嵌合凹部がカバーの対向部分に形成して成ることを特徴とする請求項１記載の自動点滅器。
【発明の詳細な説明】
【０００１】
【発明の属する技術分野】
本発明は、周囲の外光の光量によって電源と制御負荷との接続の開閉を行う自動点滅器に関し、詳しくは、施工後の確認作業及びメンテナンス作業を容易にし、かつ、挿入された電線の確認を容易にする技術に係るものである。
【０００２】
【従来の技術】
従来の自動点滅器は、電源及び制御負荷に接続される端子を備えた複数の端子ブロックと、周囲の外光を利用して電源に接続される端子と制御負荷に接続される端子との接続の開閉を行う開閉機能ブロックと、端子ブロックと開閉機能ブロックを収容するベース及びカバーと、外光を採り入れる受光カバーを備えていて、周囲の外光の光量の検出結果によって、電源に接続される端子と制御負荷に接続される端子との接続の開閉をおこなう構成になっている（特開２００１−５３５９７公報などを参照）。
【０００３】
ところで、ベース及びカバーによって構成される器体は全体又は一部が乳白色のカバー部からなり、このカバー部を受光カバーと兼用する場合があるが、近年の電子式の自動点滅器では、従来の３６０度の光の検知ではなく、設定された検知範囲に対して受光を行うように、カバーと受光カバーとを分離して指向性を確保し、これにより耐誤動作性能を向上させている。
【０００４】
そして、このような従来の自動点滅器は屋外に設置されて使用されるが、例えば自動点滅器を設置する場合、またはこれを用いた街路灯または道路灯などの蛍光灯を交換するなどのメンテナンスを行う場合に、光を透過しない袋を作業者が所持していてこれを取り出して受光カバーの部分を覆い、外光を遮断した状態で、自動点滅器の動作または蛍光灯などの点灯の確認がおこなわれている。
【０００５】
【発明が解決しようとする課題】
ところで、街路灯または道路灯などの場合、遮光用の袋を取り出して受光カバーの部分に被せる作業は、面倒であってメンテナンスの作業性が悪く、また高所での作業としては好ましいものではない。更に、端子へと挿入された電線の確認作業が面倒であり、施工性が低いものとなっていた。
【０００６】
本発明は、このような問題に鑑みてなされたものであり、施工後及びメンテナンス時の自動点滅器の動作または蛍光灯などの点灯の確認作業を容易におこなえ、かつ、端子へと挿入された電線の確認作業を容易におこなうことができる自動点滅器を提供することを課題とする。
【０００７】
【課題を解決するための手段】
請求項１においては、電源及び制御負荷に接続される端子を備えた複数の端子ブロック１と、周囲の外光を利用して電源に接続される端子と制御負荷に接続される端子との接続の開閉を行う開閉機能ブロック２と、端子ブロック１と開閉機能ブロック２を収容するベース３及びカバー４と、外光を採り入れる受光カバー５を備えた自動点滅器であって、受光カバー５を覆って外光を遮蔽するテストカバー６をベース３及びカバー４で構成する器体３６に保持させていることを特徴とするものである。
【０００８】
このような構成によれば、例えば、自動点滅器Ａを設置した後の自動点滅器Ａの作動を確認する場合、またはこれを用いた街路灯または道路灯などの蛍光灯を交換した後に蛍光灯などの点灯の確認する場合、テストカバー６は器体３６側に保持させていることから、器体３６から外したテストカバー６にて受光カバー５を容易に覆うことができ、従来のように、高所において作業者が所持している遮光用の袋を取り出して受光カバーの部分に被せて遮光をおこなう作業を省くことができ、高所での作業性及び安全性を確保することができる。
【０００９】
しかも、ベース３が前面に開口３１を有する箱状に形成され、ベース３の開口縁に受光カバー５が嵌合され、受光カバー５にカバー４が保持され、受光カバー５の端子ブロック１の端子ねじ１７に対向する位置にドライバー挿入孔１１が設けられていることを特徴とするものである。このような構成によれば、略透明な受光カバー５を透して端子ブロック１を確認でき、高圧導電部となる端子ブロック１に作業者が不測に触れるのを防止することができ、安全性を確保することができる。
【００１０】
更に、端子ブロック１の電線挿入位置に挿入された電線を確認することができる切欠部５０を端子１４に設けてあることを特徴とするものである。このような構成によれば、施工時に電源及び蛍光灯等の制御負荷の電線を接続する際に、電線が接続できる位置にまで挿入されたことを端子１４における切欠部５０において確認することができ、接続時の挿入不足による不完全締め付けに起因する発熱などの問題を事前に回避することができ、信頼性の向上を図ることができ、施工性を高めることができる。
【００１１】
また、請求項１においては、切欠部５０と対向する受光カバー５の位置に透明色の確認窓５１を設けていることを特徴とするものである。このような構成によれば、透明色の確認窓５１において電線が確実に挿入・接続されていることが確認しやすくなる。
【００１２】
請求項２においては、確認窓５１以外で端子ブロック１に対向する受光カバー５の部分にしぼ加工がなされ、確認窓５１を示す記号５２、記述が受光カバー５になされていることを特徴とするものである。このような構成によれば、小さな確認窓５１であっても、周りがしぼ加工であり、位置を示す記号５２や記述によって、施工作業者が確実に電線の接続を確認することができ、一層、電線接続の信頼性を向上させることができる。
【００１３】
請求項３においては、受光カバー５の透明色の確認窓５１がレンズ形状に形成されていることを特徴とするものである。このような構成によれば、小さな確認窓５１であっても、レンズ形状により接続状態を拡大することができ、施工作業者が確実に電線の接続を確認することができ、一層、電線接続の信頼性を向上させることができる。
【００１４】
請求項４においては、受光カバー５に形成したドライバー挿入孔１１の孔縁に突出部５３を形成していることを特徴とするものである。このような構成によれば、ドライバー挿入孔１１の孔縁に形成した突出部５３によって、ドライバー挿入孔１１の孔縁を伝って内部に雨水等の水分が浸入するのを防止することができ、雨等の侵入による腐食や絶縁劣化等を防止することができる。
【００１５】
請求項５においては、受光カバー５のドライバー挿入孔１１の孔縁に形成した突出部５３に嵌合する嵌合凹部５４がカバー４の対向部分に形成していることを特徴とするものである。このような構成によれば、ドライバー挿入孔１１の孔縁の突出部５３にカバー４の嵌合凹部５４を嵌合することで、雨等の水分の浸入を、一層、防止することができ、一層、腐食や絶縁劣化等を防止することができる。
【００１６】
【発明の実施の形態】
以下、本発明の実施の形態を説明する。図１は本発明に係る自動点滅器の側断面図である。図２は正面図である。図３は分解斜視図である。
【００１７】
自動点滅器Ａは、電源及び制御負荷に接続される端子１４を備えた複数の端子ブロック１…と、周囲の外光を利用して電源に接続される端子１４と制御負荷に接続される端子１４との接続の開閉を行う開閉機能ブロック２と、端子ブロック１と開閉機能ブロック２を収容する器体３６としてのベース３及びカバー４と、外光を採り入れる受光カバー５を備えている。このような自動点滅器Ａは、例えば、断面Ｌ字状で一端部にねじ孔１５が形成された板状の取付金具１６を介して、例えば、屋外に取り付けられて使用されるものである。
【００１８】
端子ブロック１は、端子ねじ１７、これが螺着される板状部１８および端子１４となる端子板１９により構成され、複数の端子ブロック１の端子１４には、電源および制御負荷にそれぞれ接続されることになる。
【００１９】
開閉機能ブロック２は、実装基板２１、この一の面（前面）に実装される例えば外光の明るさに応じた電圧を発生する太陽電池からなる光起電力素子２２、および実装基板２１の他の面に実装されるリレー２３などにより構成される。実装基板２１には、図１に示すように、端子ブロック１の端子板１９の一端が接続され、電源に接続される端子１４と制御負荷に接続される端子１４との間には、リレー２３が設けられる。開閉機能ブロック２は、周囲の外光を利用して、電源に接続される端子１４と制御負荷に接続される端子１４との接続の開閉（リレー２３の接点の開閉）をおこなう構成になっている。なお、リレー２３に代えてスイッチング素子を使用する構成でもよい。
【００２０】
器体３６を構成するベース３は、遮光性で例えば黒色の樹脂により前面に開口３１を有する箱状に形成され、複数の端子ブロック１および開閉機能ブロック２を内部に収容するものである。図３の例では、ベース３の前面下方には各端子ブロック１を収容する収容室３９が４室設けられており、各収容室３９の間は隔壁３２で仕切られ、各端子ブロック１がベース３の前面下方に絶縁状態で収容保持される。
【００２１】
ベース３の前面上方には、一対の支持部３３および別の支持部３４が形成されている。支持部３３の前方先端には、実装基板２１に形成された孔２１ａに挿入される突起３３ａが形成され、一方、支持部３４の前方先端には、実装基板２１に形成された孔２１ｂに挿通されたねじ具（図示せず）のねじ孔３４ａが形成されている。
【００２２】
これにより、突起３３ａが孔２１ａに挿入されて実装基板２１を支持部３３、３４で支持して、ねじ孔３４ａにおいてねじ具でねじ止めすることで開閉機能ブロック２がベース３に固定される。
【００２３】
ベース３の後面には、後方に突出する支持部３５が形成され、この支持部３５には、図１に示すように、取付金具１６の一端部の面と支持部３５の一の面とを合わせた状態で、取付ねじＳ１を支持部３５に形成したねじ挿通孔３５ａに挿通し、ねじ孔１５にねじ込むことで、取付金具１６にベース３をねじ止めするようにしている。
【００２４】
取付金具１６を介してベース３が、例えば、玄関先の壁面または電柱などの所定の取付部分に取り付けられた状態で、開閉機能ブロック２の光起電力素子２２が外光を受光する受光方向を、複数の方向のうちのいずれかの方向に固定するための複数の凹部３５ｂ…および凸部１６ｂが、それぞれ支持部３５の一の面および取付金具１６の一端部の面に形成されている。これにより、凸部１６ｂを複数の凹部３５ｂ…のいずれかに凹凸嵌合すれば、受光方向を複数の方向のうちのいずれかの方向に指向性を持たせて固定することができる。
【００２５】
受光カバー５は、透光性で透明の樹脂により後面に開口を有する薄箱状に形成され、ベース３の開口３１を閉塞するものである。なお、受光カバー４の詳細な説明は後述する。
【００２６】
器体３６を構成するカバー４は、遮光性で例えば黒色の樹脂により受光カバー５の前面を覆う薄箱状に形成され、受光カバー５の前面に取り付けられる。カバー４は、端子ブロック１…を覆う端子カバーの機能と光起電力素子２２を覆うテストカバー６の機能を共用する共用部４ａと、受光カバー５の上半部に保持される保持部４ｂとが、保持部４ｂに対して可動可能な部位として折り曲げが可能な薄肉部７にて接続されて構成されている。
【００２７】
カバー４において、開閉機能ブロック２の光起電力素子２２の前方に位置する保持部４ｂの中央部には採光窓１３が形成され、共用部４ａの前面中央には採光窓１３の内縁を凹部９として凹凸嵌合する凸部８を採光窓１３の全周に相当させて形成している。更に、採光窓１３の上縁中央部には切欠き２４が形成され、共用部４ａの下縁部に爪２５を有する係止片２６が突設されている。又、図１に示すように、遮光片２７が保持部４ｂの後面の下端側から後方に突設されている。
【００２８】
これにより、共用部４ａを薄肉部７において折り曲げて略矩形状となった凸部８を矩形状の採光窓１３の縁部を凹部９として凹凸嵌合させ、更に、係止片２６の爪２５を切欠き２４の縁に係止し、共用部４ａをテストカバー６として保持部４ｂに重ねて支持するのであり、光起電力素子２２に対して好適な遮光が可能になるのである。この場合、凸部８の内縁が受光カバー５の矩形突部４３の外縁部に係合して、一層、遮光性を高めている。
【００２９】
カバー４の共用部４ａの左右部には、後方に突出する先端外向きの爪を有する左右一対の掛止突片２８、２８が後方に突設されている。一対の掛止突片２８、２８は、ベース３の開口縁部内側に形成され側壁に貫通する孔２９に挿通され、孔２９の外側の縁部に先端外向きの爪が掛止するようになっている。
【００３０】
これにより、カバー４の保持部４ｂの採光窓１３を除いてベース３の開口３１全体を閉塞することができる。保持部４ｂの側壁内側には突起４０が複数形成されて、受光カバー４の側壁に形成された受部４２に係合してカバー４が受光カバー５に保持される。
【００３１】
このように、受光カバー５を覆って外光を遮蔽するテストカバー６をカバー４及びベース３にて構成している器体３６に保持させていることから、例えば、自動点滅器Ａを設置した後の自動点滅器Ａの作動を確認する場合、またはこれを用いた街路灯または道路灯などの蛍光灯を交換した後に蛍光灯などの点灯の確認する場合、テストカバー６にて受光カバー５（採光窓１３）を容易に覆うことができ、高所において作業者が所持している遮光用の袋を取り出して受光カバー５の部分（採光窓１３）に被せて遮光をおこなう作業を省くことができ、高所での作業性及び安全性を確保することができるのである。
【００３２】
次に、受光カバー５について詳述する。受光カバー５の前面中央には、カバー４の遮光片２７が挿入される溝４１が形成されており、溝４１の下方であって、各端子ブロック１のねじ１７の前方に位置する受光カバー４の前面下部には、ドライバーの先端を挿入するためのドライバー挿入孔１１が形成されている。ベース３の下側面に半円状の溝３７が形成されて端子１４に接続される電線が、ベース３の下面側の溝３７から挿入されるようになっている。
【００３３】
これにより、カバー５の共用部４ａを薄肉部７で折り曲げて開放した状態で、ドライバーの先端をドライバー挿入孔１１に挿通して端子ねじ１７を操作することで、下面側から挿入した電線の導体線を端子１４に接続することができる。電線の接続後は、共用部４ａを薄肉部７で折り曲げて掛止突片２８をベース３の孔２９に挿入して爪を係止することで端子カバーとするものである。
【００３４】
このように、テストカバー６は端子を覆う端子カバーと共用化しているのであり、端子ブロック１の端子１４に電線を接続した後にその接続作業をおこなうためのドライバー挿入孔１１や、端子ねじ１７等を屋外環境から保護する端子カバーとテストカバー６を共用することができるのであり、共用によって構成を簡素化し、それでいて、信頼性を向上させるだけでなく、高所での作業性及び安全性を、一層、高めることができる。
【００３５】
更に、薄肉部７で共用部４ａを折り曲げることで、施工時及びメンテナンス時に、端子カバーとテストカバー６とに容易に共用することができるのである。又、共用部４ａと保持部４ｂとを一体化でき、安価に製造することができてコストを低くできる。しかも、共用部４ａと保持部４ｂ側の採光窓１３の一方に凸部８を他方に凹部９を採光窓１３の全周に形成して凹凸嵌合していることから、共用部４ａを保持部４ｂをテストカバー６として面同士を当接して遮光する場合に比べて、共用部４ａをテストカバー６とする場合に採光窓１３の周部に隙間が生じることがなく、テストカバー６の遮光機能を、一層、高めることができる。
【００３６】
図３及び図６に示すように、端子ブロック１の端子板１９の電線挿入箇所に切欠部５０が形成されてベース３の下面の溝３７から挿入された電線を確認することができるようにしている。
【００３７】
これによれば、施工時に電源及び蛍光灯等の制御負荷の電線を接続する際に、溝３７より電線が接続できる位置にまで挿入されたことを端子ブロック１における切欠部５０において確認することができるのであり、接続時の挿入不足による不完全締め付けに起因する発熱などの問題を事前に回避することができ、信頼性の向上を図ることができ、施工性を高めることができるのである。
【００３８】
端子板１９の切欠部５０と対向する受光カバー５の位置に透明色の確認窓５１を設けていて、透明色の確認窓５１において電線が確実に挿入・接続されていることが確認しやすくしている。
【００３９】
図７は更に他の実施の形態を示し、但し、本実施の形態の基本構成は上記実施の形態と共通であり、共通する部分には同一の符号を付して説明は省略する。
【００４０】
本実施の形態においては、確認窓５１以外で端子ブロック１に対向する受光カバー５の部分にしぼ（なし地）加工がなされ、確認窓５１を示す「矢印」の記号５２が受光カバー５になされている。
【００４１】
このことから、小さな確認窓５１であっても、周りがしぼ（なし地）加工であり、位置を示す記号５２や記述によって、施工作業者が確実に電線の接続を確認することができ、一層、電線接続の信頼性を向上させることができるのである。
【００４２】
しかも、受光カバー５の透明色の確認窓５１がレンズ形状に形成されていることから、小さな確認窓５１であっても、レンズ形状により接続状態を拡大することができ、施工作業者が確実に電線の接続を確認することができ、一層、電線接続の信頼性を向上させることができるのである。
【００４３】
更に、受光カバー５に形成したドライバー挿入孔１１の孔縁に突出部５３を形成していることから、ドライバー挿入孔１１の孔縁に形成した突出部５３によって、ドライバー挿入孔１１の孔縁を伝って内部に雨水等の水分が浸入するのを防止することができ、雨等の侵入による腐食や絶縁劣化等を防止することができるのである。
【００４４】
又、受光カバー５のドライバー挿入孔１１の孔縁に形成した突出部５３に嵌合する嵌合凹部５４が環状凸部５５に囲繞されてカバー４の対向部分に形成していることから、ドライバー挿入孔１１の孔縁の突出部５３にカバー４の嵌合凹部５４を嵌合することで、雨等の水分の浸入を、一層、防止することができ、一層、腐食や絶縁劣化等を防止することができるのである。符号５６は受光カバー５に形成されていて「注意事項」を記載する部分を示している。
【００４５】
【発明の効果】
請求項１においては、電源及び制御負荷に接続される端子を備えた複数の端子ブロックと、周囲の外光を利用して電源に接続される端子と制御負荷に接続される端子との接続の開閉を行う開閉機能ブロックと、端子ブロックと開閉機能ブロックを収容するベース及びカバーと、外光を採り入れる受光カバーを備えた自動点滅器であって、受光カバーを覆って外光を遮蔽するテストカバーをベース及びカバーで構成する器体に保持させているから、例えば、自動点滅器を設置した後の自動点滅器の作動を確認する場合、またはこれを用いた街路灯または道路灯などの蛍光灯を交換した後に蛍光灯などの点灯の確認する場合、テストカバーは器体側に保持させていることから、器体から外したテストカバーにて受光カバーを容易に覆うことができ、従来のように、高所において作業者が所持している遮光用の袋を取り出して受光カバーの部分に被せて遮光をおこなう作業を省くことができ、高所での作業性及び安全性を確保することができるという利点がある。
【００４６】
しかも、ベースが前面に開口を有する箱状に形成され、ベースの開口縁に受光カバーが嵌合され、受光カバーにカバーが保持され、受光カバーの端子ブロックの端子ねじに対向する位置にドライバー挿入孔が設けられているから、略透明な受光カバーを透して端子ブロックを確認でき、高圧導電部となる端子ブロックに作業者が不測に触れるのを防止することができ、安全性を確保することができるという利点がある。
【００４７】
更に、端子ブロックの電線挿入位置に挿入された電線を確認することができる切欠部を端子に設けてあるから、施工時に電源及び蛍光灯等の制御負荷の電線を接続する際に、電線が接続できる位置にまで挿入されたことを端子における切欠部において確認することができ、接続時の挿入不足による不完全締め付けに起因する発熱などの問題を事前に回避することができ、信頼性の向上を図ることができ、施工性を高めることができるという利点がある。
【００４８】
また、請求項１においては、切欠部と対向する受光カバーの位置に透明色の確認窓を設けているから、透明色の確認窓において電線が確実に挿入・接続されていることが確認しやすくなるという利点がある。
【００４９】
請求項２においては、請求項１の効果に加えて、確認窓以外で端子ブロックに対向する受光カバーの部分にしぼ加工がなされ、確認窓を示す記号、記述が受光カバーになされているから、小さな確認窓であっても、周りがしぼ加工であり、位置を示す記号や記述によって、施工作業者が確実に電線の接続を確認することができ、一層、電線接続の信頼性を向上させることができるという利点がある。
【００５０】
請求項３においては、請求項１又は２の効果に加えて、受光カバーの透明色の確認窓がレンズ形状に形成されているから、小さな確認窓であっても、レンズ形状により接続状態を拡大することができ、施工作業者が確実に電線の接続を確認することができ、一層、電線接続の信頼性を向上させることができるという利点がある。
【００５１】
請求項４においては、請求項１の効果に加えて、受光カバーに形成したドライバー挿入孔の孔縁に突出部を形成しているから、ドライバー挿入孔の孔縁に形成した突出部によって、ドライバー挿入孔の孔縁を伝って内部に雨水等の水分が浸入するのを防止することができ、雨等の侵入による腐食や絶縁劣化等を防止することができるという利点がある。
【００５２】
請求項５においては、請求項１の効果に加えて、受光カバーのドライバー挿入孔の孔縁に形成した突出部に嵌合する嵌合凹部がカバーの対向部分に形成しているから、ドライバー挿入孔の孔縁の突出部にカバーの嵌合凹部を嵌合することで、雨等の水分の浸入を、一層、防止することができ、一層、腐食や絶縁劣化等を防止することができるという利点がある。
【図面の簡単な説明】
【図１】本発明の実施の一形態を示す側断面図である。
【図２】同上の正面図である。
【図３】同上の分解斜視図である。
【図４】同上の共用部をテストカバーとして使用している側断面図である。
【図５】同上の正面図である。
【図６】同上の端子板の斜視図である。
【図７】同上の他の実施の形態を示し、（ａ）は同上の受光カバーの端子ブロックを覆う部分を主として示す正面図である。（ｂ）は突出部が嵌合凹部に嵌合している部分断面図である。
【符号の説明】
１    端子ブロック
２    開閉機能ブロック
３    ベース
４    カバー
５    受光カバー
６    テストカバー
５０  切欠部
５１  確認窓
５２  記号
【図１】
0003932832.tif 000002
【図２】
0003932832.tif 000003
【図３】
0003932832.tif 000004
【図４】
0003932832.tif 000005
【図５】
0003932832.tif 000006
【図６】
0003932832.tif 000007
【図７】
0003932832.tif 000008